(57)【特許請求の範囲】
【請求項１】
ハウジング内底部に設けられ、湯流入口、水流入口および混合水流出口を有する固定弁体と、この固定弁体上に摺動自在に設けられ、前記湯流入口、水流入口および混合水流出口に連絡する混合室を前記固定弁体との摺接面に有する可動弁体とを備え、前記混合室が前記湯流入口および水流入口に連絡して、吐出する混合水の温度を適温とする位置から前記可動弁体を回動することにより、前記混合水の温度を連続的に調節できるシングルレバー式混合水栓であって、
前記適温とする位置は、前記湯流入口と前記水流入口との底部の面積が同一となるように前記固定弁体に対して前記可動弁体が配置された状態で前記可動弁体を回動するレバーのレバー先端方向が蛇口での回動中央であり、
前記混合水の温度が適温となる吐出位置から熱湯となる吐出位置まで前記可動弁体が回動するとき、前記水流入口および混合水流出口とを連絡する通水溝が前記混合室に接することなく前記可動弁体の摺接面に円弧状に設けられ、かつこの通水溝の縦断面積は前記水流入口側よりも前記混合水流出口側の方が小さいことを特徴とするシングルレバー式混合水栓。
【請求項２】
前記可動弁体の摺接面に設けられる通水溝は、前記円弧状に設けられた溝が前記水流入口および混合水流出口とを連絡することにより圧逃しの機能を兼ね備えることを特徴とする請求項１記載のシングルレバー式混合水栓。
【請求項３】
ハウジング内底部に設けられ、湯流入口、水流入口および混合水流出口を有する固定弁体と、この固定弁体上に摺動自在に設けられ、前記湯流入口、水流入口および混合水流出口に連絡する混合室を前記固定弁体との摺接面に有する可動弁体とを備え、前記混合室が前記湯流入口および水流入口に連絡して、吐出する混合水の温度を適温とする位置から前記可動弁体を回動することにより、前記混合水の温度を連続的に調節できるシングルレバー式混合水栓であって、
前記適温とする位置は、前記湯流入口と前記水流入口との底部の面積が同一となるように前記固定弁体に対して前記可動弁体が配置された状態で前記可動弁体を回動するレバーのレバー先端方向が蛇口での回動中央であり、
前記混合水の温度が適温となる吐出位置で、前記固定弁体の摺接面側における前記湯流入口と前記水流入口との間の仕切り位置を前記混合水流出口側で開口面積が大きくなるように前記水流入口側にずらした形状とすることを特徴とするシングルレバー式混合水栓。
【請求項４】
請求項３記載のシングルレバー式混合水栓において、
前記混合水の温度が適温となる吐出位置から熱湯となる吐出位置まで前記可動弁体が回動するとき、前記水流入口および混合水流出口とを連絡する通水溝が前記混合室に接することなく前記可動弁体の摺接面に円弧状に設けられ、かつこの通水溝の縦断面積は前記水流入口側よりも前記混合水流出口側の方が小さいことを特徴とするシングルレバー式混合水栓。
【請求項５】
前記可動弁体の摺接面に設けられる通水溝は、前記円弧状に設けられた溝が前記水流入口および混合水流出口とを連絡することにより圧逃しの機能を兼ね備えることを特徴とする請求項４記載のシングルレバー式混合水栓。
【発明の詳細な説明】
【０００１】
【発明の属する技術分野】
本発明はシングルレバー式の混合水栓に関する。
【０００２】
【従来の技術】
単一のレバーを上下および左右に回動することによって閉栓および開栓するシングルレバー式混合水栓が普及している。
家庭用水道に用いられるシングルレバー式混合水栓を図４により説明する。図４は主に 7部品構成からなる 3穴式シングルレバー式混合水栓の構造を示し、図４（ａ）は正面からみた断面図を、図４（ｂ）は側面からみた断面図をそれぞれ示す。
シングルレバー式混合水栓１は、ハウジング２内に固定弁体３と可動弁体４とが設けられ、ハンドルレバー５ａを介して連動するレバー５により可動弁体４が回動および前後進自在に摺動される。なお、６はレバーホルダー、７はブロック部材、８は封止材である。
固定弁体３には、左右対称の湯流入口３ａおよび水流入口３ｂと、一つの混合水流出口３ｃとが形成されており、可動弁体４の混合室４ａにおいて水および湯が混合されて混合水流出口３ｃより蛇口を経て吐出する。ハンドルレバー５ａに接続されたレバー５の動作により、固定弁体３の湯流入口３ａおよび水流入口３ｂの構成面積が変動することにより、温度を規定する湯水の混合量や流量の調整が行なわれる。
【０００３】
湯水の混合量の調整状態を図５により説明する。図５は固定弁体に摺接する可動弁体の回動状態を示す図である。
固定弁体３にハッチングで示した可動弁体４が摺接して回動することにより、蛇口より吐出する混合水の温度が適温を中心として熱湯から冷水まで連続的に変化調節される。なお、可動弁体４の摺接面側に設けられている混合室４ａは湯流入口３ａおよび水流入口３ｂを図面上みやすくするためにハッチング部のない実線で示した。
混合水が適温となる位置より、可動弁体４が固定弁体３に対して時計回りに 60 °回転（図５（ａ））または 40 °回転すると（図５（ｂ））、混合室４ａは湯流入口３ａおよび混合水流出口３ｃのみを連絡する。その結果、湯流入口３ａから供給される熱湯のみが蛇口を経て吐出される。
混合水が適温となる位置より、可動弁体４が固定弁体３に対して時計回りに 20 °回転すると（図５（ｃ））、混合室４ａは湯流入口３ａと共に水流入口３ｂの一部とも連絡することとなり、熱湯流量が優勢の温度の高い混合水となり蛇口を経て吐出される。
【０００４】
可動弁体４が固定弁体３に対して混合水が適温となる位置の場合（図５（ｄ））、湯流入口３ａの熱湯量および水流入口３ｂの冷水量が調節され、例えば 42 ℃の適温となって吐出される。なお、図５（ｄa）は図５（ｄ）のＡ−Ａ断面を、図５（ｄb）は図５（ｄ）のＢ−Ｂ断面をそれぞれ示す。また、レバー５の位置が中央のときに吐出する混合水が適温となるよう、予め熱湯量および冷水量が調節されている。
【０００５】
次に、混合水が適温となる位置より、可動弁体４が固定弁体３に対して反時計回りに 20 °回転すると（図５（ｅ））、混合室４ａは水流入口３ｂと共に湯流入口３ａの一部とも連絡することとなり、冷水流量が優勢の温度の低い混合水となり蛇口を経て吐出される。
混合水が適温となる位置より、可動弁体４が固定弁体３に対して反時計回りに 40 °回転（図５（ｆ））または 60 °回転（図５（ｇ））すると、混合室４ａは冷水流入口３ｂおよび混合水流出口３ｃのみを連絡する。その結果、湯流入口３ｂから供給される冷水のみが蛇口を経て吐出される。
また、湯のみが吐出している図５（ａ）、（ｂ）に示す動作位置関係のままで、湯のみが連続で吐出するとその吐出量に関わらず湯の温度により混合水栓全体が徐々に加熱され、一方で遮断されている水側配管内の水を膨張させその内圧を上昇させる現象が起こり、配管内や水栓本体の破損を引き起こすことが知られている。
このため、湯のみを連続で流出するとき、水流入口と混合室とを圧逃し溝により連続して膨張した水側配管内の水を少量流出させて配管内や水栓本体の破損を防ぐ方法が知られている（特公平 3-9347 号公報、実公昭 63-39490 号公報）。
【０００６】
【発明が解決しようとする課題】
しかしながら、従来のシングルレバー式の混合水栓では、適温に設定されているレバーの中央位置（図５（ｄ））を境に湯側、水側にそれぞれレバーを旋回させると急激な吐出水温の変化が生じるという問題がある。
また、人体が感じる温度感覚は敏感であるため、適温で使用するためには、微妙なレバー調整が必要となり、実際の使用状況下において使用者は不便さを感じているという問題がある。
【０００７】
本発明は、このような問題に対処するためになされたもので、レバーの中央位置付近での回動操作による急激な水温変化を防止し、実際の使用状況下での温度調整機能を向上させることができるシングルレバー式混合水栓を提供することを目的とする。
【０００８】
【課題を解決するための手段】
請求項１のシングルレバー式混合水栓は、ハウジング内底部に設けられ、湯流入口、水流入口および混合水流出口を有する固定弁体と、この固定弁体上に摺動自在に設けられ、上記湯流入口、水流入口および混合水流出口に連絡する混合室を上記固定弁体との摺接面に有する可動弁体とを備え、混合室が湯流入口および水流入口に連絡して、吐出する混合水の温度を適温とする位置から可動弁体を回動することにより、混合水の温度を連続的に調節できるシングルレバー式混合水栓であって、上記適温とする位置は、湯流入口と水流入口との底部の面積が同一となるように固定弁体に対して可動弁体が配置された状態で可動弁体を回動するレバーのレバー先端方向が蛇口での回動中央であり、上記混合水の温度が適温となる吐出位置から熱湯となる吐出位置まで可動弁体が回動するとき、水流入口および混合水流出口とを連絡する通水溝が混合室に接することなく可動弁体の摺接面に設けられ、かつこの通水溝の縦断面積は水流入口側よりも混合水流出口側の方が小さいことを特徴とする。
また、可動弁体の摺接面に設けられる通水溝は、上記円弧状に設けられた溝が上記水流入口および混合水流出口とを連絡することにより圧逃しの機能を兼ね備えることを特徴とする。
【０００９】
請求項３のシングルレバー式混合水栓は、ハウジング内底部に設けられ、湯流入口、水流入口および混合水流出口を有する固定弁体と、この固定弁体上に摺動自在に設けられ、上記湯流入口、水流入口および混合水流出口に連絡する混合室を上記固定弁体との摺接面に有する可動弁体とを備え、混合室が湯流入口および水流入口に連絡して、吐出する混合水の温度を適温とする位置から可動弁体を回動することにより、混合水の温度を連続的に調節できるシングルレバー式混合水栓であって、上記適温とする位置は、湯流入口と水流入口との底部の面積が同一となるように固定弁体に対して可動弁体が配置された状態で可動弁体を回動するレバーのレバー先端方向が蛇口での回動中央であり、上記混合水の温度が適温となる吐出位置で、固定弁体の摺接面側における湯流入口と水流入口との間の仕切り位置を混合水流出口側で開口面積が大きくなるように水流入口側にずらした形状とすることを特徴とする。
【００１０】
請求項４のシングルレバー式混合水栓は、請求項３記載のシングルレバー式混合水栓において、上記混合水の温度が適温となる吐出位置から熱湯となる吐出位置まで可動弁体が回動するとき、水流入口および混合水流出口とを連絡する通水溝が混合室に接することなく可動弁体の摺接面に設けられ、かつこの通水溝の縦断面積は水流入口側よりも混合水流出口側の方が小さいことを特徴とする。
また、可動弁体の摺接面に設けられる通水溝は、上記円弧状に設けられた溝が上記水流入口および混合水流出口とを連絡することにより圧逃しの機能を兼ね備えることを特徴とする。
【００１１】
従来のシングルレバー式混合水栓において、吐出される混合水が適温となる中央位置付近からのレバーの僅かな旋回で、急激な吐出水温の変化が生じる問題について研究したところ、以下のことが分かった。すなわち、急激な吐出水温の変化が生じるのは、図５に示すように、適温となる位置を境に可動弁体４を時計回りまたは反時計回りに回動させると、熱湯または冷水の流入量どちらか一方がそれぞれ急激に優勢となるためである。
【００１２】
固定弁体３に対する可動弁体４の回動角度と、そのときの蛇口から吐出する混合水の温度を測定した結果を図３に比較例として示す。図３の破線で示されるように、適温付近では、水側上水道の温度である冷水から湯側ボイラー等の設定温度である熱湯まで直線的な水温の変化になっている。このため、従来のシングルレバー式混合水栓はレバー旋回角度を微調整するのが困難となり、また熱湯あるいは冷水のみが吐出する領域が大きくなる。
【００１３】
本発明はこのような知見に基づきなされたもので、水流入口側よりも混合水流出口側での縦断面積が小さく、かつ水流入口および混合水流出口とを連絡する通水溝を混合室に接することなく可動弁体の摺接面に設けることにより、および／または、摺接面側における湯流入口と水流入口との間の仕切り位置を水側にずらした形状の固定弁体とすることにより、適温付近から熱湯側または冷水側に可動弁体を回動しても蛇口から吐出される混合水の水温変化を小さく抑えることができる。
【００１４】
【発明の実施の形態】
本発明のシングルレバー式混合水栓に用いられる可動弁体および固定弁体を図１により説明する。図１（ａ）は可動弁体の平面図を、図１（ｂ）は固定弁体の平面図を、図１（ｃ）はＡ−Ａ断面図、図１（ｄ）はＢ−Ｂ断面図、図１（ｅ）はＣ−Ｃ断面図、および図１（ｆ）はＤ−Ｄ断面図をそれぞれ示す。
本発明は、混合室４ａに接することなく通水溝４ｂを可動弁体４の摺接面４ｃに設けた。この通水溝４ｂは、混合水が適温となる吐出位置から熱湯の吐出位置まで可動弁体４が回動するとき、固定弁体３に設けられた水流入口３ｂおよび混合水流出口３ｃとを連絡する通水溝４ｂが混合室４ａに接することなく、かつ水流入口３ｂ側よりも混合水流出口３ｃ側での縦断面積が小さく、その平面形状が円弧状に形成されている。
【００１５】
本発明において、適温とは、実際の使用状況下において混合水栓使用者が極端に熱く、あるいは冷たく感じることなく、温湯と感じることのできる温度、例えば 40 ℃前後である。
適温を設定するために、シングルレバー式混合水栓は、混合室４ａが連絡する湯流入口３ａ底部３ａ´と水流入口３ｂ底部３ｂ´との面積が同一となるように固定弁体３に対して可動弁体４が配置され、この状態で可動弁体４を回動するレバー５のレバー先端方向が蛇口での回動中央、すなわち図１（ｂ）においてＢ−Ｂ断面方向に設定される。適温となる混合水は、湯流入口３ａおよび水流入口３ｂに流れ込む熱湯温度と湯量および冷水量を予め調節することにより得られる。
すなわち、湯沸し器から流出する熱湯の温度および圧力、水道水の温度および圧力が異なるため、レバー５の位置を蛇口での回動中央に設定した後、適温となるように、熱湯量および冷水量が調節されている。
【００１６】
水流入口３ｂおよび混合水流出口３ｃとを連絡する通水溝４ｂは、混合水が適温となる吐出位置から熱湯の吐出位置まで可動弁体４が回動するとき水流入口３ｂおよび混合水流出口３ｃとを連絡できる形状であればよい。具体的には、円弧状に形成された溝であることが、可動弁体４の回動により相互連絡がより容易となるので好ましい。
【００１７】
さらに、図１（ａ）および図１（ｆ）に示すように、可動弁体４の摺接面に円弧状に形成された通水溝４ｂは、固定弁体３側における水流入口３ｂ側よりも混合水流出口３ｃ側での縦断面積を小さく形成される。この形状であると、湯吐水の初期に、水流入口３ｂ側と混合水流出口３ｃとが通水溝４ｂの縦断面積の大きな部分で連絡されることにより、急激な吐出する混合水温の上昇を抑えることができる。
また、湯吐水時には、水流入口３ｂ側と混合水流出口３ｃとが通水溝４ｂの縦断面積の小さな部分で連絡されることにより、湯沸し器から流出する熱湯の温度をほぼ維持することができる。
【００１８】
固定弁体３は、湯流入口３ａ、水流入口３ｂおよび混合水流出口３ｃとが、それぞれ独立して形成されており、これらは固定弁体３を貫通して流入および流出路を形成している。また、固定弁体３の摺接面３ｄは、図１（ｂ）上で、上面に形成され、可動弁体４の摺接面４ｃと密着して摺接する。
【００１９】
また、固定弁体３の各流入出口は、上記適温となる吐出位置で、固定弁体３の摺接面３ｄ側における湯流入口３ａと水流入口３ｂとの間の仕切り位置を混合水流出口側で開口面積が大きくなるように前記水流入口側にずらした形状となっている。すなわち、摺接面側においては、適温となる吐出位置で、混合水流出口３ｃと連絡する湯流入口３ａの開口面積が水流入口３ｂの開口面積よりも大きくなっている。
これにより水吐出側位置から適温となる混合位置にレバー５を旋回させたときに、混合水流出口３ｃと湯流入口３ａとが、従来品より早く交わり蛇口から排出される混合水の温度が早く上昇する。結果として適温位置から水側位置にレバー５を旋回させた時、特に適温となる混合位置付近での急激な温度低下が少なくなる。
【００２０】
本発明は、可動弁体４の摺接面４ｃに通水溝４ｂを設けるのみであっても、あるいは固定弁体３の摺接面３ｄにおける湯流入口３ａと水流入口３ｂとの間の仕切り位置３ｅを水側にずらした形状とすることのみによっても適温となる混合位置付近での旋回角度による急激な温度変化を従来品より緩やかにすることができる。
なお、通水溝４ｂは図２（ａ）のように熱湯を吐出しているときに水流入口３ｂと混合室４ａを連絡して膨張した水側配管内の水を少量流出させて配管内や水栓本体の破損を防ぐよう圧逃しの機能も兼ねることもできる。
また、上記可動弁体４と固定弁体３とを組み合わせることにより、急激な温度変化をより緩やかにすることができる。
【００２１】
本発明は、固定弁体３に対する可動弁体４の回動により、吐出水の温度を微妙に調節することができる。また、吐出水量の調節は、温度が調節された回動位置を保持して可動弁体４を固定弁体３に対して前進または後退させることにより調節することができる。
【００２２】
摺接面４ｃに通水溝４ｂを有する可動弁体４と、湯および水流入口間の仕切り位置３ｅを水側にずらした固定弁体３とを組み合わせたシングルレバー式混合水栓における湯水混合量の調整状態を図２により説明する。図２は固定弁体３に摺接する可動弁体４の回動状態を示す図である。
固定弁体３にハッチングで示した可動弁体４が摺接して回動することにより、蛇口より吐出する混合水の温度が適温を中心として熱湯から冷水まで連続的に変化調節される。なお、可動弁体４の摺接面側に設けられている混合室４ａは湯流入口３ａおよび水流入口３ｂを図面上みやすくするためにハッチング部のない実線で示した。
【００２３】
可動弁体４が固定弁体３に対して吐出する混合水が適温となる位置より時計回りに 60 °回転すると（図２（ａ））、混合室４ａは湯流入口３ａおよび混合水流出口３ｃのみを連絡する。なお、吐出する混合水が適温となる可動弁体４の位置を 0°に設定した。また、通水溝４ｂは、水流入口３ｂと混合水流出口３ｃとを狭い縦断面積の部分で連絡する。その結果、蛇口を経て吐出される混合水は、ほぼ湯流入口３ａから供給される熱湯となる。ここで、このときの通水溝４ｂの縦断面積は非常に小さいものであるため、混合水は熱湯を保ったまま、水側配管の内圧上昇を防止することができる。
【００２４】
適温となる位置より、可動弁体４が固定弁体３に対して時計回りに 40 °回転すると（図２（ｂ））、水流入口３ｂと混合水流出口３ｃとを連絡する通水溝４ｂの縦断面積が、図２（ａ）の状態よりも大きくなり、水流入口３ｂからの冷水の供給量が多くなる。その結果、蛇口を経て吐出される混合水の温度を適温の近くに下げることができる。
【００２５】
適温となる位置より、可動弁体４が固定弁体３に対して時計回りに 20 °回転すると（図２（ｃ））、水流入口３ｂと混合水流出口３ｃとを連絡する通水溝４ｂの縦断面積がより大きくなると共に、混合室４ａが湯流入口３ａと共に水流入口３ｂの一部とも連絡する。その結果、蛇口を経て吐出される混合水は、ほぼ適温になる。
【００２６】
可動弁体４が固定弁体３に対して適温となる位置の場合（図２（ｄ））、通水溝４ｂは水流入口３ｂと混合水流出口３ｃとを連絡しなくなる。また、湯流入口３ａの熱湯量および水流入口３ｂの冷水量が調節され、例えば 42 ℃の適温となって吐出される。
【００２７】
次に、適温となる位置より、可動弁体４が固定弁体３に対して反時計回りに 20 °回転すると（図２（ｅ））、混合室４ａは水流入口３ｂと共に湯流入口３ａの一部とも連絡する。このとき、固定弁体の摺接面側における湯流入口３ａと水流入口３ｂとの間の仕切り位置３ｅを水側にずらしてあるので、従来の混合水栓よりも熱湯の流入量が多くなり、蛇口から吐出される混合水の温度低下の割合が小さくなるので適温付近を維持できる。
【００２８】
適温となる位置より、可動弁体４が固定弁体３に対して反時計回りに 40 °回転した場合であっても（図２（ｆ））、なお、湯流入口３ａの一部が混合室４ａと連絡している。その結果、蛇口から吐出される混合水の温度低下割合を小さくすることができる。
【００２９】
適温となる位置より、可動弁体４が固定弁体３に対して反時計回りに 60 °回転すると（図２（ｇ））、混合室４ａは冷水流入口３ｂおよび混合水流出口３ｃのみを連絡する。その結果、湯流入口３ｂから供給される冷水のみが蛇口を経て吐出される。
【００３０】
【実施例】
実施例および比較例
シングルレバー式混合水栓に、図１に示す構造の固定弁体と可動弁体を組み込み、蛇口よりの吐出水温を、レバー旋回角度を変えて測定した結果を図３に示す。また、比較例として、図５に示す従来の固定弁体と可動弁体を組み込んだ場合について測定した吐出水の温度測定結果を図３に併せて示す。なお、図３において、レバー旋回角度 0°の位置が適温となるように設定された、固定弁体と可動弁体との組み合わせであり、マイナスの旋回角度はその位置から固定弁体に対する可動弁体の時計回りの角度であり、プラスの旋回角度は反時計回りの角度である。
【００３１】
図３に示すように、本発明のシングルレバー式混合水栓は、適温となる混合水を得るために、固定弁体３に対する可動弁体４の回動範囲、すなわちレバー５の旋回角度範囲を広くとることができる。その結果、レバー５の中央位置付近での微妙な回動調整操作をしなくとも吐出する混合水の適温を維持し、急激な混合水の温度変化を防止することができる。一方、比較例の場合、レバー５の中央位置付近での僅かな回動操作により、急激な混合水の温度変化が生じている。例えば、マイナス 20 °の旋回により、実施例では 50 ℃以下の温度を維持しているのに対して、比較例では 70 ℃以上の熱湯状態となる。
【００３２】
さらに、本発明のシングルレバー式混合水栓は、季節変動、湯沸し器の取り換え等、外部環境の変化により、湯流入口および水流入口に供給される熱湯または冷水の温度が変化しても、上記構造としたので適温水にするためのレバー旋回位置の変化を極めて少なくすることができる。
【００３３】
【発明の効果】
本発明のシングルレバー式混合水栓は、適温となる吐出位置から熱湯の吐出位置まで可動弁体が回動するとき、水流入口および混合水流出口とを連絡する通水溝が混合室に接することなく可動弁体の摺接面に設けられ、かつこの通水溝の縦断面積は水流入口側よりも混合水流出口側の方が小さく設けられてなるので、レバーの中央位置付近での微妙な調整操作をしなくとも混合水の適温を維持し、急激な温度変化を防止することができる。
【００３４】
また、適温となる吐出位置で、固定弁体の摺接面側における湯流入口と水流入口との間の仕切り位置を水側にずらした形状とするので、レバーの中央位置付近での微妙な調整操作をしなくとも混合水の適温を維持し、急激な温度変化を防止することができる。
【００３５】
また、上記可動弁体と上記固定弁体とを組み合わせてなるので、レバーの中央位置付近での微妙な調整操作をしなくとも混合水の適温をより長く維持し、急激な温度変化をより防止することができる。
また、通水溝は圧逃し溝として機能できるため、湯のみ連続放出する場合において閉塞状態にある水側配管の内圧上昇を防止することができる。
また、夏や冬等の環境変化に対しても、適温にするためのレバー旋回位置の変化を極めて少なくすることができる。
【図面の簡単な説明】
【図１】本発明の可動弁体および固定弁体を示す図である。
【図２】固定弁体に摺接する可動弁体の回動状態を示す図である。
【図３】吐出水温度とレバー旋回角度の関係を示す図である。
【図４】   3穴式シングルレバー式混合水栓を示す図である。
【図５】従来の固定弁体に摺接する可動弁体の回動状態を示す図である。
【符号の説明】
１    シングルレバー式混合水栓
２    ハウジング
３    固定弁体
３ａ  湯流入口
３ｂ  水流入口
３ｃ  混合水流出口
４    可動弁体
４ａ  混合室
５    レバー
６    レバーホルダー
７    ブロック部材
８    封止材
【図１】
0004006129.tif 000002
【図２】
0004006129.tif 000003
【図３】
0004006129.tif 000004
【図４】
0004006129.tif 000005
【図５】
0004006129.tif 000006